【手続補正書】
【提出日】平成24年12月28日(2012.12.28)
【手続補正１】
【補正対象書類名】特許請求の範囲
【補正対象項目名】全文
【補正方法】変更
【補正の内容】
【特許請求の範囲】
【請求項１】
特定個人毎に、遊技に使用可能な遊技媒体数及び特定個人の携帯端末を識別する携帯端末識別情報を管理する管理装置と、遊技媒体の貸与処理を行う遊技媒体貸与装置とを有する遊技媒体管理システムであって、
前記遊技媒体貸与装置は、
前記携帯端末の携帯端末識別情報を取得する識別情報取得部と、
獲得遊技媒体数が存在する状態で、所定操作を検出したことを条件に、前記識別情報取得部にて取得された携帯端末識別情報に基づいて、前記管理装置により管理された前記携帯端末識別情報に対応する遊技媒体数に、獲得遊技媒体を加算更新させるための加算更新指示を前記管理装置に指示する加算更新指示部とを有し、
前記管理装置は、
前記遊技媒体貸与装置からの前記加算更新指示を受け付けた際に、該管理装置により管理される前記携帯端末識別情報に対応する遊技媒体数に、前記獲得遊技媒体数を加算更新する加算更新制御部を有する
ことを特徴とする遊技媒体管理システム。
【請求項２】
前記管理装置は、
前記獲得遊技媒体数を所定タイミングで前記携帯端末識別情報に対応する遊技媒体数に加算更新することを特徴とする請求項１に記載の遊技媒体管理システム。
【請求項３】
前記遊技媒体貸与装置は、
前記所定操作を検出してから所定時間以内に、前記識別情報取得部を通じて前記携帯端末識別情報を取得できなかった場合、前記識別情報取得部の携帯端末受付待ち状態を解除することを特徴とする請求項１又は２に記載の遊技媒体管理システム。
【請求項４】
特定個人毎に、遊技に使用可能な遊技媒体数及び特定個人の携帯端末を識別する携帯端末識別情報を管理する管理装置と、遊技媒体の貸与処理を行う遊技媒体貸与装置とを有する遊技媒体管理システムにおける遊技媒体管理方法であって、
前記遊技媒体貸与装置が、前記携帯端末の携帯端末識別情報を取得する識別情報取得ステップと、
獲得遊技媒体数が存在する状態で、所定操作を検出したことを条件に、前記識別情報取得ステップにて取得された携帯端末識別情報に基づいて、前記管理装置により管理された前記携帯端末識別情報に対応する遊技媒体数に、獲得遊技媒体を加算更新させるための加算更新指示を前記管理装置に指示する加算更新指示ステップと、
前記管理装置が、前記遊技媒体貸与装置からの前記加算更新指示を受け付けた際に、該管理装置により管理される前記携帯端末識別情報に対応する遊技媒体数に、前記獲得遊技媒体数を加算更新する加算更新制御ステップと
を含むことを特徴とする遊技媒体管理方法。
【手続補正２】
【補正対象書類名】明細書
【補正対象項目名】発明の名称
【補正方法】変更
【補正の内容】
【発明の名称】遊技媒体管理システム及び遊技媒体管理方法
【手続補正３】
【補正対象書類名】明細書
【補正対象項目名】０００１
【補正方法】変更
【補正の内容】
【０００１】
本発明は、遊技店内の遊技台に併設し、遊技台で使用する遊技媒体の貸与処理を行う遊技媒体貸与装置を有する遊技媒体管理システム及び遊技媒体管理方法に関する。
【手続補正４】
【補正対象書類名】明細書
【補正対象項目名】００１６
【補正方法】変更
【補正の内容】
【００１６】
本発明は上記点に鑑みてなされたものであり、その第１の目的とするところは、携帯電話会員（特定個人）の場合でも、携帯電話機（携帯端末）を使用して、玉貸出機（遊技媒体貸与装置）からの簡単な操作で現在持玉数（保有遊技媒体数）を携帯電話機（携帯端末）に紐付けて貯玉できる遊技媒体管理システム及び遊技媒体管理方法を提供することにある。
【手続補正５】
【補正対象書類名】明細書
【補正対象項目名】００１７
【補正方法】変更
【補正の内容】
【００１７】
また、本発明の第２の目的とするところは、携帯電話会員（特定個人）の場合でも、携帯電話機（携帯端末）を使用して、玉貸出機（遊技媒体貸与装置）からの簡単な操作で現在持玉（保有遊技媒体）を携帯電話機（携帯端末）に紐付けて管理できる遊技媒体管理システム及び遊技媒体管理方法を提供することにある。
【手続補正６】
【補正対象書類名】明細書
【補正対象項目名】００１８
【補正方法】変更
【補正の内容】
【００１８】
また、本発明の第３の目的とするところは、携帯電話会員（特定個人）の場合でも、携帯電話機（携帯端末）を使用して、玉貸出機（遊技媒体貸与装置）からの簡単な操作で現在プリペイド残額（保有有価残高）を携帯電話機（携帯端末）に紐付けて管理できる遊技媒体管理システム及び遊技媒体管理方法を提供することにある。
【手続補正７】
【補正対象書類名】明細書
【補正対象項目名】００１９
【補正方法】変更
【補正の内容】
【００１９】
上記目的を達成するために、本発明は、特定個人毎に、遊技に使用可能な遊技媒体数及び特定個人の携帯端末を識別する携帯端末識別情報を管理する管理装置と、遊技媒体の貸与処理を行う遊技媒体貸与装置とを有する遊技媒体管理システムであって、前記遊技媒体貸与装置は、前記携帯端末の携帯端末識別情報を取得する識別情報取得部と、獲得遊技媒体数が存在する状態で、所定操作を検出したことを条件に、前記識別情報取得部にて取得された携帯端末識別情報に基づいて、前記管理装置により管理された前記携帯端末識別情報に対応する遊技媒体数に、獲得遊技媒体を加算更新させるための加算更新指示を前記管理装置に指示する加算更新指示部とを有し、前記管理装置は、前記遊技媒体貸与装置からの前記加算更新指示を受け付けた際に、該管理装置により管理される前記携帯端末識別情報に対応する遊技媒体数に、前記獲得遊技媒体数を加算更新する加算更新制御部を有することを特徴とする。
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】変更
【補正の内容】
【００２２】
また、本発明は、上記発明において、前記管理装置は、前記獲得遊技媒体数を所定タイミングで前記携帯端末識別情報に対応する遊技媒体数に加算更新することを特徴とする。
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】変更
【補正の内容】
【００２５】
また、本発明は、上記発明において、前記遊技媒体貸与装置は、前記所定操作を検出してから所定時間以内に、前記識別情報取得部を通じて前記携帯端末識別情報を取得できなかった場合、前記識別情報取得部の携帯端末受付待ち状態を解除することを特徴とする。
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】変更
【補正の内容】
【００３３】
また、本発明は、特定個人毎に、遊技に使用可能な遊技媒体数及び特定個人の携帯端末を識別する携帯端末識別情報を管理する管理装置と、遊技媒体の貸与処理を行う遊技媒体貸与装置とを有する遊技媒体管理システムにおける遊技媒体管理方法であって、前記遊技媒体貸与装置が、前記携帯端末の携帯端末識別情報を取得する識別情報取得ステップと、獲得遊技媒体数が存在する状態で、所定操作を検出したことを条件に、前記識別情報取得ステップにて取得された携帯端末識別情報に基づいて、前記管理装置により管理された前記携帯端末識別情報に対応する遊技媒体数に、獲得遊技媒体を加算更新させるための加算更新指示を前記管理装置に指示する加算更新指示ステップと、前記管理装置が、前記遊技媒体貸与装置からの前記加算更新指示を受け付けた際に、該管理装置により管理される前記携帯端末識別情報に対応する遊技媒体数に、前記獲得遊技媒体数を加算更新する加算更新制御ステップとを含むことを特徴とする。
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】変更
【補正の内容】
【００３６】
本発明によれば、携帯端末の特定個人は、管理装置に管理中の携帯端末がある場合、カウンタに赴かなくても、遊技媒体貸与装置に対する簡単な操作で、管理中の遊技媒体数に獲得遊技媒体数を加算更新できるという効果を奏する。
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】削除
【補正の内容】
【手続補正３７】
【補正対象書類名】明細書
【補正対象項目名】００４９
【補正方法】削除
【補正の内容】
【手続補正３８】
【補正対象書類名】明細書
【補正対象項目名】００５０
【補正方法】削除
【補正の内容】
【手続補正３９】
【補正対象書類名】明細書
【補正対象項目名】００５１
【補正方法】削除
【補正の内容】
【手続補正４０】
【補正対象書類名】明細書
【補正対象項目名】００５２
【補正方法】削除
【補正の内容】
【手続補正４１】
【補正対象書類名】明細書
【補正対象項目名】００５３
【補正方法】変更
【補正の内容】
【００５３】
以下、図面に基づき本発明の遊技媒体管理システム及び遊技媒体管理方法に関わる実施例について詳細に説明する。